(57)【特許請求の範囲】
【請求項１】
一次側配管から分岐して設けられ火災時の熱を受けて開放する感熱開放弁と、該感熱開放弁の二次側に接続された二次側配管と、放水時に一斉に放水して水幕を形成するようにライン状に前記二次側配管に設けられた複数の開放型ヘッドと、を備えたドレンチャー消火設備であって、
防護区域を所定長さの放水区画によって複数に分け、
前記放水区画毎に、前記感熱開放弁及び一対の逆止弁を設けて、複数の前記感熱開放弁の二次側をそれぞれ前記二次側配管で接続すると共に、前記一対の逆止弁を前記二次側配管に設け、
前記二次側配管において、前記感熱開放弁が接続される分岐部分の間に設けられた前記一対の逆止弁の間に、少なくとも１つ以上の前記開放型ヘッドを設け、
前記一対の逆止弁の間に設けた開放型ヘッドに向かって水が流れ出すように、前記一対の逆止弁が互いに異なる向きで設置され、
ある放水区画の前記感熱開放弁が開放するとき、前記逆止弁により、隣接する放水区画への水の流れが規制されることを特徴とする消火設備。
【発明の詳細な説明】
【０００１】
【発明の属する技術分野】
本発明は、ドレンチャ消火設備に関するもので、開口部に水による幕を形成して炎を遮断するものである。
【０００２】
【従来の技術】
従来、国宝や重要文化財等の建物において、火災から守るためにドレンチャー設備が設けられている。また建物内部の火災に対して、防火戸や防火シャッタなどに加えて、ドレンチャー設備を設置して、内部延焼防止対策が計られるようになってきている。
【０００３】
このようなドレンチャー設備の一例として特開平７−１５５３９８号に開示された発明がある。この従来例を図４を用いて説明する。図４において、室内４の天井面４ａには、ドレンチャーヘッド６と火災感知器８が設けられている。火災が発生すると、火災感知器８が火災を感知して、制御盤１０へ火災信号を出力する。火災信号を受けた制御盤１０は、火災信号のアドレス情報から火災発生場所を判断する。
【０００４】
そして、その火災発生場所に対応する一斉開放弁１２を開放させるために、電磁弁１４に開放信号を出力する。一斉開放弁１２が開放すると、配管内が減圧して、その圧力低下が図示しない圧力低下スイッチにより検知され、加圧送水ポンプ１６に制御盤１０から起動信号が出力される。
【０００５】
ポンプ１６が起動すると、図示しない水槽の水が圧送され、一斉開放弁１２を通じて、ドレンチャーヘッド６に供給される。そしてドレンチャーヘッド６から散水が開始され、水幕が形成されて、燃え広がろうとする火災を遮断し、延焼が阻止される。なお、一斉開放弁１２は、電磁弁１４の他に手動弁１８によっても開放することができる。
【０００６】
【発明が解決しようとする課題】
このようにドレンチャー設備では、火災感知器の火災信号によって起動するように構成されているので、火災感知器が必要となり、施工する際には、信号線の設置作業を行わねばならない。
【０００７】
また放水すべき区画が複数ある場合には、火災感知器を複数設置すると共に、一斉開放弁及び電磁弁も複数設置する必要があり、設備上のコストが高くなるという問題点があった。
【０００８】
またドレンチャー設備は、火災の延焼を防止する設備であり、必要がある場合にはスプリンクラ消火設備を併設させる場合がある。この場合には、加圧送水ポンプは、それぞれ別個に設置されていた。
【０００９】
【課題を解決するための手段】
本発明は以上の問題点を解決するためになされたもので、一次側配管から分岐して設けられ火災時の熱を受けて開放する感熱開放弁と、該感熱開放弁の二次側に接続された二次側配管と、放水時に一斉に放水して水幕を形成するようにライン状に前記二次側配管に設けられた複数の開放型ヘッドと、を備えたドレンチャー消火設備であって、防護区域を所定長さの放水区画によって複数に分け、前記放水区画毎に、前記感熱開放弁及び一対の逆止弁を設けて、複数の前記感熱開放弁の二次側をそれぞれ前記二次側配管で接続すると共に、前記一対の逆止弁を前記二次側配管に設け、前記二次側配管において、前記感熱開放弁が接続される分岐部分の間に設けられた前記一対の逆止弁の間に、少なくとも１つ以上の前記開放型ヘッドを設け、前記一対の逆止弁の間に設けた開放型ヘッドに向かって水が流れ出すように、前記一対の逆止弁が互いに異なる向きで設置され、ある放水区画の前記感熱開放弁が開放するとき、前記逆止弁により、隣接する放水区画への水の流れが規制されることを特徴とするものである。
【００１０】
また、二次側配管には、前記放水区画毎に一対の逆止弁が設けられ、該一対の逆止弁の間に、少なくとも１つ以上の前記開放型ヘッドが設けられ、該開放型ヘッドに向かって流れだすように互いに異なる向きで前記一対の逆止弁が設置されていることを特徴とするものである。
【００１１】
【発明の実施の形態】
実施形態１
図１は本発明の消火設備としてのドレンチャー消火設備を示した系統図である。このドレンチャー消火設備は、建物の外部に設置される他、建物の内部、例えば劇場の舞台と客席の間に設置される。このドレンチャー消火設備は、水を放水し、水幕を作ることで防火区画を形成し、飛んでくる火の粉や輻射熱から対象物を防護する。なお、階段付近の開口部に設けて、防火シャッタや防火戸の代わりとして使用することも可能である。
【００１２】
図１において、１は二次側配管２に接続された複数の開放型ヘッドである。開放型ヘッド１は、二次側配管２にライン状に接続されており、放水時に、一斉に放水して水幕を形成する。この開放型ヘッド１は、消防法の規定に従って、例えば２．５ｍ間隔で設置されており、図のように５つのヘッド１が設置される場合では、１２．５ｍの範囲を防護することができる。なお、この時、開放型ヘッド１は、防護区域の開口部の上枠に沿ってライン状に設けられ、０．１ＭＰａの圧力で毎分２０Ｌ程度放水する。
【００１３】
３は感熱開放弁で、火災時の熱を受けて開放するものである。感熱開放弁３としては、例えば特開平１０−２６８６９４号で示されるようなものがあり、スプリンクラヘッドと同様な感熱部を有する。この感熱開放弁３を基準として、二次側にある配管を二次側配管２と呼び、一次側にある配管を一次側配管４と呼ぶ。
【００１４】
４は一次側配管で、この一次側配管４から分岐して複数の感熱開放弁３が設けられている。複数の感熱開放弁３の二次側は、それぞれ同一の二次側配管２で接続される。一次側配管４の基端側には、従来技術と同様にポンプ及び水槽からなる加圧送水設備や配管内の減圧を検知する圧力スイッチなどが設けられる。なお一次側配管４内には、常時、水が充水されており、感熱開放弁３の一次側まで水がきている。
【００１５】
１０は常時は開放されている制御弁で、一次側配管４の基端側に必要に応じて設けられる。火災時に放水後、この制御弁１０を閉止することで、放水を停止することができる。
【００１６】
このようなドレンチャー消火設備において、火災が発生すると、感熱開放弁３が火災の熱を受けて開放する。このため感熱開放弁３の一次側まできていた水が、開放型ヘッド１から放水される。また一次側配管４の減圧に伴い、図示しないポンプが起動して、水槽から水が供給される。
【００１７】
この時、二次側配管２には、複数の開放型ヘッド１が接続されているので、幅の長い防護範囲全体にわたって、開放型ヘッドから水が放水され、水幕を作り炎を遮断する防火区画を形成する。
【００１８】
この設備にあっては、一次側配管から分岐して、感熱開放弁３が複数設けられているので、感熱開放弁３のいずれか一つでも開放すれば、感熱開放弁３の二次側にある複数の開放型ヘッド１全部から放水することが可能であるため、広範囲を防護することができると共に、起動用の火災感知器を設けなくても済む。
【００１９】
実施形態２
図２は本発明の消火設備としてのドレンチャー消火設備を示した系統図である。図２において、実施形態１と同じ部分には、同じ符号をつけて説明を省略する。実施形態２は、二次側配管２に複数の逆止弁６を介在させた点で異なる。
【００２０】
即ち、図２において、６Ａ〜６Ｆは二次側配管２に設けられた逆止弁である。この逆止弁６Ａ〜６Ｆは、矢印の方向にのみ、水が流れるもので、反対方向からの水の流れを規制するものである。
【００２１】
逆止弁６Ａ〜６Ｆは、二次側配管２において、感熱開放弁３が接続される分岐部分の間に一対づづ設けられている。この一対の逆止弁、例えば６Ａと６Ｂの間、即ち逆止弁から水が流れる方向には、少なくとも１つ以上の開放型ヘッド１が設けられる。また一対の逆止弁６Ａと６Ｂは、それぞれ異なる向き、即ち、一方の逆止弁６Ａから流れる水が他方の逆止弁６Ｂに向かう向きで設置され、中間にある開放型ヘッド１に左右どちら側から水が流れても、ヘッド１から放水できるようになっている。換言すれば、逆止弁６Ａ，６Ｂは、互いに異なる方向から流れだす向きで設置されている。
【００２２】
このような設備において、符号３Ｂで示される感熱開放弁が火災時の熱をうけて開放した場合について説明する。感熱開放弁３Ｂが開放すると、開放弁３Ｂの左側の領域に対して、逆止弁６Ｂを通して水が流れ、その先にある２つの開放型ヘッド１から水が放水される。この時、逆止弁６Ａがあるため、感熱開放弁３Ａの左側にある開放型ヘッド１からは放水されない。
【００２３】
また開放弁３Ｂの右側の領域に対して、逆止弁６Ｃを通して水が流れ、その先にある３つの開放型ヘッド１から水が放水される。この時、逆止弁６Ｄがあるため、感熱開放弁３Ｃの右側にある開放型ヘッド１からは放水されない。
【００２４】
このようにして実施形態１の場合と同様に、１つの感熱開放弁３が開放することにより、５つの開放型ヘッド１から放水して、所定幅の水幕を作り炎を遮断する防火区画を形成することができる。
【００２５】
本実施形態においては、二次側配管２に逆止弁６Ａ〜６Ｆを設けることで、二次側配管２内に流れる水の流れる方向を規制できるので、感熱開放弁３毎に放水すべき区画を設定することができる。また一対の逆止弁、例えば６Ａと６Ｂは、それぞれ異なる向き、即ち、互いに水が流れる方向に向かいあう向きで設置され、逆止弁６Ａと６Ｂの間には、少なくとも１つ以上の開放型ヘッド１が設けられるので、隣合う感熱開放弁、例えば３Ａ，３Ｂのどちらが開放しても、一対の逆止弁６Ａと６Ｂの間にある開放型ヘッド１から放水することが可能となる。これにより隣合う放水区画の一部をオーバラップさせて有効な水幕を形成することができる。
【００２６】
実施形態３
図３は本発明の消火設備を示した系統図である。図３において、実施形態１と同じ部分には、同じ符号をつけて説明を省略する。実施形態３は、実施形態１のドレンチャー消火設備にスプリンクラ消火設備を組み合わせた点で、実施形態１と異なる。
【００２７】
即ち、図３において、７は閉鎖型スプリンクラヘッドで、スプリンクラ配管８に複数接続されている。スプリンクラ配管８の基端側には、流水検知装置９が設けられ、その流水検知装置９の一次側には、従来技術と同様にポンプ及び水槽からなる加圧送水設備や配管内の減圧を検知する圧力スイッチなどが設けられる。
【００２８】
またスプリンクラ配管８の先端側には、一次側配管４を介して、感熱開放弁３の一次側が接続されている。なおスプリンクラ配管８及び一次側配管４内には、常時、水が充水されており、感熱開放弁３の一次側まで水がきている。設備上、スプリンクラヘッド７は、室内に設けられ、その室内の開口部（入口）に開放型ヘッド１が設けられる。このように設置することで、室内で発生した火災をスプリンクラヘッド７で消火することが出来ると共に、入口付近を開放型ヘッド１で放水することで、火災が他の場所（部屋）へ広がるのを阻止することができる。
【００２９】
このような設備において、１つの感熱開放弁３が火災時の熱をうけて開放すると、実施形態１の場合と同様に、二次側配管２に接続された全ての（５つの）開放型ヘッド１から放水が行われ、所定幅の水幕を作り炎を遮断する防火区画を形成する。
【００３０】
またスプリンクラヘッド７が開放した場合には、そのスプリンクラヘッド７からのみ水が放水され火災を消火する。なお感熱開放弁３、スプリンクラヘッド７のどちらが開放した場合でも、流水検知装置９が水の流れを検知して、図示しない制御盤に流水信号を出力する。
【００３１】
本実施形態においては、感熱開放弁３の一次側に、スプリンクラヘッド７が接続されたスプリンクラ配管８を設けたので、スプリンクラ消火設備に使用される加圧送水装置をドレンチャ設備と兼用させることが可能となる。なお本実施形態に実施形態１又は２の構成を組み込むようにしてもよい。
【００３２】
なお、スプリンクラ消火設備とドレンチャ設備の加圧送水設備を兼用させる方法としては、次のような方法もある。即ち、二次側配管に開放型ヘッドを接続し、該二次側配管から分岐して感熱開放弁を設け、該感熱開放弁の一次側に一次側配管を設け、該一次側配管の基端側に加圧送水設備を設けた消火設備において、一次側配管に、スプリンクラヘッドが接続されたスプリンクラ配管を接続するのである。この場合には、スプリンクラ配管の基端側に第１の流水検知装置を設け、一次側配管は第２の流水検知装置を介してからスプリンクラ配管と接続するようにする。このようにすると、どちらの設備で水が放水されたかを識別することが可能である。
【００３３】
【発明の効果】
本発明は、二次側配管に複数の開放型ヘッドを接続し、更に一次側配管から分岐して複数の感熱開放弁を設けたので、感熱開放弁が火災時の熱を受けて開放すると開放型ヘッドから水が放水され、水幕を作り炎を遮断する防火区画を形成する。このため起動用の火災感知器は不要となる。また感熱開放弁は複数設けられているので、いずれか一つでも開放すれば、複数の開放型ヘッド全部から放水することが可能であるため、広範囲を防護することができる。
【００３４】
また二次側配管に逆止弁を設けることで、二次側配管内に流れる水の流れる方向を規制できるので、感熱開放弁毎に放水すべき区画を設定することができる。
【００３５】
また二次側配管には、それぞれ異なる向きで設置された一対の逆止弁が設けられ、該一対の逆止弁の間に、少なくとも１つ以上の開放型ヘッドが設けられるので、隣合う感熱開放弁のどちらが開放しても、一対の逆止弁の間にある開放型ヘッドから放水することが可能となる。これにより隣合う放水区画の一部をオーバラップさせて有効な水幕を形成することができる。
【図面の簡単な説明】
【図１】本発明の実施形態１のドレンチャー設備を示した系統図である。
【図２】本発明の実施形態２のドレンチャー設備を示した系統図である。
【図３】本発明の実施形態３のドレンチャー設備を示した系統図である。
【図４】従来のドレンチャー設備を示した系統図である。
【符号の説明】
１  開放型ヘッド、  ２  二次側配管、  ３Ａ〜３Ｄ  感熱開放弁、
４  一次側配管、  ６Ａ〜６Ｆ  逆止弁、  ７  スプリンクラヘッド、
８  スプリンクラ配管、  ９  流水検知装置、  １０  制御弁、
【図１】
0004380079.tif 000002
【図２】
0004380079.tif 000003
【図３】
0004380079.tif 000004
【図４】
0004380079.tif 000005